(57)【特許請求の範囲】
【請求項１】
入力された高周波信号を、別途入力された周波数信号に表される周波数を同調周波数としてフィルタリングし、外部に出力する周波数可変フィルタ装置において、
特定の周波数領域内で、同調周波数を切り替える周波数可変フィルタが、前記特定の周波数領域が各々異なるものとなるように複数設けられ、
前記各周波数可変フィルタは、ＰＩＮダイオードを備え、外部から入力されるバイアス信号に従って前記ＰＩＮダイオードをオン／オフすることによって同調周波数を切り替え、
フィルタ選択信号により前記高周波信号の出力対象となる周波数可変フィルタを選択する第１のフィルタセレクタと、
前記フィルタ選択信号により前記第１のフィルタセレクタが選択した周波数可変フィルタが出力する高周波信号を出力する第２のフィルタセレクタと、
前記周波数信号に表される周波数に基づいて、前記複数の周波数可変フィルタから当該周波数で機能する周波数可変フィルタを選択するフィルタ選択信号を出力するとともに、前記周波数に対応して前記ＰＩＮダイオードのオン／オフパターンを生成して、当該選択された周波数可変フィルタには、前記オン／オフパターンをもとにして同調周波数を前記周波数に切り替えるバイアス信号を出力し、前記フィルタ選択信号により選択されない周波数可変フィルタには、当該周波数可変フィルタの消費電力が最小になるようなバイアス信号を出力する制御部とを有することを特徴とする周波数可変フィルタ装置。
【請求項２】
制御部は、周波数可変フィルタの各々に対応して設けられたバイアス生成回路と、前記バイアス生成回路の各々に対応して設けられたオン／オフパターン生成回路と、フィルタ選択回路とを備える制御部であって、
前記オン／オフパターン生成回路は、自己が外部から入力される周波数信号に表される周波数で機能する周波数可変フィルタに対応するものである場合には、当該周波数に対応するオン／オフパターンを生成して出力し、対応しないものである場合には、対応するバイアス生成回路及び対応する周波数可変フィルタにおける消費電力が最小になるようなオン／オフパターンを生成して出力するオン／オフパターン生成回路であり、
前記バイアス生成回路は、対応するオン／オフパターン生成回路から入力されるオン／オフパターンからバイアス信号を生成して対応する周波数可変フィルタに出力するバイアス生成回路であり、
前記フィルタ選択回路は、前記周波数信号に表される周波数で機能する周波数可変フィルタを選択するフィルタ選択信号を第１のフィルタセレクタと、第２のフィルタセレクタとに出力するフィルタ選択回路であることを特徴とする請求項１記載の周波数可変フィルタ装置。
【請求項３】
制御部は、周波数可変フィルタの各々に対応して設けられたバイアス生成回路と、一のオン／オフパターン生成回路と、フィルタ選択回路と、電源制御回路とを備える制御部であって、
前記オン／オフパターン生成回路は、外部から入力される周波数信号に表される周波数に対応するオン／オフパターンを生成してバイアス生成回路に出力するオン／オフパターン生成回路であり、
前記バイアス生成回路は、前記オン／オフパターン生成回路から入力されるオン／オフパターンからバイアス信号を生成して対応する周波数可変フィルタに出力するバイアス生成回路であり、
前記フィルタ選択回路は、前記周波数で機能する周波数可変フィルタを選択するフィルタ選択信号を第１のフィルタセレクタと、第２のフィルタセレクタとに出力するフィルタ選択回路であり、
前記電源制御回路は、前記周波数で機能する周波数可変フィルタに対応するバイアス生成回路にのみ電源を供給し、前記周波数で機能する周波数可変フィルタに対応しないバイアス生成回路に電源を供給しないようにする電源制御回路であることを特徴とする請求項１記載の周波数可変フィルタ装置。
【請求項４】
制御部は、周波数可変フィルタの各々に対応して設けられたバイアス生成回路と、一のオン／オフパターン生成回路と、フィルタ選択回路とを備える制御部であって、
前記オン／オフパターン生成回路は、外部から入力された周波数信号に表される周波数に対応するオン／オフパターンを生成して前記バイアス生成回路に出力するオン／オフパターン生成回路であり、
前記バイアス生成回路は、前記フィルタ選択回路からバイアスの生成を指示する指示信号が入力されている間は、前記オン／オフパターン生成回路から入力されるオン／オフパターンからバイアス信号を生成して対応する周波数可変フィルタに出力し、指示信号が入力されていないときには、対応する周波数可変フィルタにおける消費電力が最小になるようなバイアス信号を対応する周波数可変フィルタに出力するバイアス生成回路であり、
前記フィルタ選択回路は、前記周波数で機能する周波数可変フィルタを選択するフィルタ選択信号を第１のフィルタセレクタと、第２のフィルタセレクタとに出力するとともに、前記フィルタ選択信号によって選択される周波数可変フィルタに対応するバイアス生成回路に前記指示信号を出力するフィルタ選択回路であることを特徴とする請求項１記載の周波数可変フィルタ装置。
【発明の詳細な説明】
【０００１】
【発明の属する技術分野】
本発明は、周波数ホッピング通信の送受信器で用いられる周波数可変フィルタ装置に係り、特に消費電力を低減できる周波数可変フィルタ装置に関する。
【０００２】
【従来の技術】
従来の周波数可変フィルタ装置について図５を使って説明する。図５は、従来の周波数可変フィルタ装置の構成ブロック図である。
従来の周波数可変フィルタ装置は、図５に示すように、第１のフィルタセレクタ１と複数の周波数可変フィルタ２と、第２のフィルタセレクタ３と、制御部４とから主に構成されている。
尚、図５では、周波数可変フィルタ２の数は４つであるとしている。
【０００３】
また、制御部４は、図６に示すように、オン／オフパターン生成回路４１と、フィルタ選択回路４２と、周波数可変フィルタ２に対応して複数設けられているバイアス生成回路４３とから構成されている。図６は、制御部４の構成ブロック図である。
【０００４】
以下、各部を具体的に説明する。
第１のフィルタセレクタ１は、第２のフィルタセレクタ３とともに、制御部４から入力されるフィルタ選択信号に応じて入力されるＲＦ信号（高周波信号）を特定の周波数可変フィルタ２に選択的に出力するものである。
【０００５】
周波数可変フィルタ２は、ＰＩＮダイオードを備え、ＰＩＮダイオードのオン／オフによって同調周波数を切り替えて、第１のフィルタセレクタ１から入力されるＲＦ信号をフィルタリングして第２のフィルタセレクタに出力する周波数フィルタであって、後に説明する制御部３から各々入力されるバイアス信号に応じてＰＩＮダイオードのオン／オフを行うものである。
【０００６】
また、周波数可変フィルタ２は、それぞれ、例えば第１の周波数可変フィルタ２ａは、２２５〜２８０ＭＨｚに、第２の周波数可変フィルタ２ｂは、２８０〜３２５ＭＨｚに、第３の周波数可変フィルタ２ｃは、３２５〜３７０ＭＨｚに、第４の周波数可変フィルタ２ｄは、３７０〜４００ＭＨｚに対応するというように可変周波数幅（周波数可変フィルタ２が機能する周波数帯域）が異なっているように設定されている。
【０００７】
第２のフィルタセレクタ３は、制御部４から入力されるフィルタ選択信号に応じて、第１のフィルタセレクタ１が選択している周波数可変フィルタ２から選択的にＲＦ信号の入力を受けて、当該ＲＦ信号を外部に出力するものである。
【０００８】
制御部４のオン／オフパターン生成回路４１は、外部から同調周波数を表す周波数指定信号の入力を受けて周波数可変フィルタ２のＰＩＮダイオードのオン／オフパターンを生成して、複数のバイアス生成回路４３にそれぞれ出力するものである。
【０００９】
制御部４のフィルタ選択回路４２は、第１のフィルタセレクタ１と第２のフィルタセレクタ３とに、どの周波数可変フィルタ２にＲＦ信号を入力し、どの周波数可変フィルタ２のＲＦ信号の出力を選択して外部に出力するかを指示するフィルタ選択信号を出力するものである。
【００１０】
制御部４のバイアス生成回路４３は、オン／オフパターン生成回路４１から入力されるオン／オフパターンをもとにして、バイアス信号を生成して、対応する周波数可変フィルタ２に出力するものである。
【００１１】
ここで、制御部４のバイアス生成回路４３について、具体的に図７を用いて説明する。図７は、制御部４のバイアス生成回路４３の回路図である。
バイアス生成回路４３は、図７に示すように、オン／オフパターンの入力を受けて、これをＴＴＬレベルの信号に変換するバッファと、順方向電流のスイッチとして動作する第１のトランジスタＱ１と、第１のトランジスタＱ１のベース電流を制限する第１の抵抗器Ｒ１と、第１のトランジスタＱ１のベース電流を安定させるための第２の抵抗器Ｒ２と、順方向電流を制限する第３の抵抗器Ｒ３と、バイアス生成回路４３の出力である、バイアス信号を逆電圧に接地させるスイッチとして動作する第２のトランジスタＱ２と、第２のトランジスタＱ２のベース電圧を安定させる第４の抵抗器Ｒ４と、逆電圧出力時に電流を制限する第５の抵抗器Ｒ５と、第２のトランジスタＱ２の接地状態を制限するコンデンサＣ１とから構成されている。
尚、第５の抵抗器Ｒ５は、抵抗率の十分大きい抵抗器であるとする。
【００１２】
つまり、バイアス生成回路４３は、バッファを介して入力されるオン／オフパターンがＬｏ状態（オンを表す状態）であるときには、第１のトランジスタＱ１がオンとなり、第２のトランジスタＱ２はオフとなって、第３の抵抗器Ｒ３により制限された電流が出力され、電流がそのまま外部に出力されるようになるものである。
【００１３】
また、オン／オフパターンがＨｉ状態（オフを表す状態）であるときには、バイアス生成回路４３の第１のトランジスタＱ１がオフとなり、第２のトランジスタＱ２が、オンとなって、コンデンサＣ１が飽和するまでは電流が接地されるため、外部への電流の出力がないようになり、コンデンサＣ１が飽和すると、第５の抵抗器Ｒ５を介して逆電圧による電流が外部に出力されるようになるものである。
【００１４】
尚、バイアス生成回路４３は、周波数可変フィルタ２が備えるＰＩＮダイオード１個のスイッチング動作に対応するものであるので、スイッチング動作が１０個必要であれば、当該回路は、その数に対応して設けられているものである。
【００１５】
次に、従来の周波数可変フィルタ装置の動作について説明する。
まず、制御部４が周波数信号の入力を受けて、オン／オフパターン生成回路４１が周波数信号が表す周波数に対応するオン／オフパターンを生成して、複数のバイアス生成回路４３に出力する。
一方、制御部４のフィルタ選択回路３２が周波数信号に対応する周波数可変フィルタ２を選択するフィルタ選択信号を第１のフィルタセレクタ１と第２のフィルタセレクタ３とに出力する。
【００１６】
すると、複数の周波数可変フィルタ２が各々制御部４の対応するバイアス生成回路４３から入力されるバイアス信号に従ってＰＩＮダイオードをオン／オフすることにようになって、同調周波数を切り替える。
【００１７】
そして、第１のフィルタセレクタ１が外部から入力されるＲＦ信号の入力を受けて、当該ＲＦ信号を制御部４から入力されたフィルタ選択信号に応じた周波数可変フィルタ２に選択的に出力するようになる。
また、第２のフィルタセレクタ３が制御部４から入力されたフィルタ選択信号に応じた周波数可変フィルタ２からＲＦ信号の入力を選択的に外部に出力するようになる。
【００１８】
ここで例えば、図５において第１のフィルタセレクタ１と第２のフィルタセレクタ３とによって、第２の周波数可変フィルタ２ｂが選択されているとするとき、第１の周波数可変フィルタ２ａと、第３の周波数可変フィルタ２ｃと、第４の周波数可変フィルタ２ｄとに対応する制御部４のバイアス生成回路４３もバイアス信号を出力している。
【００１９】
【発明が解決しようとする課題】
このように、上記従来の周波数可変フィルタ装置では、フィルタ選択信号によって選択されていない周波数可変フィルタもＰＩＮダイオードのオン／オフの動作を行ってしまうため、消費電力が大きくなるという問題点があった。
【００２０】
本発明は上記実情に鑑みて為されたもので、消費電力を低減できる周波数可変フィルタ装置を提供することを目的とする。
【００２２】
【課題を解決するための手段】
上記従来例の問題点を解決するための本発明は、入力された高周波信号を、別途入力された周波数信号に表される周波数を同調周波数としてフィルタリングし、外部に出力する周波数可変フィルタ装置において、特定の周波数領域内で、同調周波数を切り替える周波数可変フィルタが、前記特定の周波数領域が各々異なるものとなるように複数設けられ、前記各周波数可変フィルタは、ＰＩＮダイオードを備え、外部から入力されるバイアス信号に従って前記ＰＩＮダイオードをオン／オフすることによって同調周波数を切り替え、フィルタ選択信号により前記高周波信号の出力対象となる周波数可変フィルタを選択する第１のフィルタセレクタと、前記フィルタ選択信号により前記第１のフィルタセレクタが選択した周波数可変フィルタが出力する高周波信号を出力する第２のフィルタセレクタと、前記周波数信号に表される周波数に基づいて、前記複数の周波数可変フィルタから当該周波数で機能する周波数可変フィルタを選択するフィルタ選択信号を出力するとともに、前記周波数に対応して前記ＰＩＮダイオードのオン／オフパターンを生成して、当該選択された周波数可変フィルタには、前記オン／オフパターンをもとにして同調周波数を前記周波数に切り替えるバイアス信号を出力し、前記フィルタ選択信号により選択されない周波数可変フィルタには、当該周波数可変フィルタの消費電力が最小になるようなバイアス信号を出力する制御部とを有することを特徴としており、消費電力を低減できる。
【００２３】
上記従来例の問題点を解決するための本発明は、請求項１記載の周波数可変フィルタ装置において、制御部は、周波数可変フィルタの各々に対応して設けられたバイアス生成回路と、前記バイアス生成回路の各々に対応して設けられたオン／オフパターン生成回路と、フィルタ選択回路とを備える制御部であって、前記オン／オフパターン生成回路は、自己が外部から入力される周波数信号に表される周波数で機能する周波数可変フィルタに対応するものである場合には、当該周波数に対応するオン／オフパターンを生成して出力し、対応しないものである場合には、対応するバイアス生成回路及び対応する周波数可変フィルタにおける消費電力が最小になるようなオン／オフパターンを生成して出力するオン／オフパターン生成回路であり、前記バイアス生成回路は、対応するオン／オフパターン生成回路から入力されるオン／オフパターンからバイアス信号を生成して対応する周波数可変フィルタに出力するバイアス生成回路であり、前記フィルタ選択回路は、前記周波数信号に表される周波数で機能する周波数可変フィルタを選択するフィルタ選択信号を第１のフィルタセレクタと、第２のフィルタセレクタとに出力するフィルタ選択回路であることを特徴としており、消費電力を低減できる。
【００２４】
上記従来例の問題点を解決するための本発明は、請求項１記載の周波数可変フィルタ装置において、制御部は、周波数可変フィルタの各々に対応して設けられたバイアス生成回路と、一のオン／オフパターン生成回路と、フィルタ選択回路と、電源制御回路とを備える制御部であって、前記オン／オフパターン生成回路は、外部から入力される周波数信号に表される周波数に対応するオン／オフパターンを生成してバイアス生成回路に出力するオン／オフパターン生成回路であり、前記バイアス生成回路は、前記オン／オフパターン生成回路から入力されるオン／オフパターンからバイアス信号を生成して対応する周波数可変フィルタに出力するバイアス生成回路であり、前記フィルタ選択回路は、前記周波数で機能する周波数可変フィルタを選択するフィルタ選択信号を第１のフィルタセレクタと、第２のフィルタセレクタとに出力するフィルタ選択回路であり、前記電源制御回路は、前記周波数で機能する周波数可変フィルタに対応するバイアス生成回路にのみ電源を供給し、前記周波数で機能する周波数可変フィルタに対応しないバイアス生成回路に電源を供給しないようにする電源制御回路であることを特徴としており、消費電力を低減できる。
【００２５】
上記従来例の問題点を解決するための本発明は、請求項１記載の周波数可変フィルタ装置において、制御部は、周波数可変フィルタの各々に対応して設けられたバイアス生成回路と、一のオン／オフパターン生成回路と、フィルタ選択回路とを備える制御部であって、前記オン／オフパターン生成回路は、外部から入力された周波数信号に表される周波数に対応するオン／オフパターンを生成して前記バイアス生成回路に出力するオン／オフパターン生成回路であり、前記バイアス生成回路は、前記フィルタ選択回路からバイアスの生成を指示する指示信号が入力されている間は、前記オン／オフパターン生成回路から入力されるオン／オフパターンからバイアス信号を生成して対応する周波数可変フィルタに出力し、指示信号が入力されていないときには、対応する周波数可変フィルタにおける消費電力が最小になるようなバイアス信号を対応する周波数可変フィルタに出力するバイアス生成回路であり、前記フィルタ選択回路は、前記周波数で機能する周波数可変フィルタを選択するフィルタ選択信号を第１のフィルタセレクタと、第２のフィルタセレクタとに出力するとともに、前記フィルタ選択信号によって選択される周波数可変フィルタに対応するバイアス生成回路に前記指示信号を出力するフィルタ選択回路であることを特徴としており、消費電力を低減できる。
【００２６】
【発明の実施の形態】
本発明の実施の形態を図面を参照しながら説明する。
本発明に係る周波数可変フィルタ装置（本装置）は、選択されていない周波数可変フィルタに対する制御を停止して、消費電力を低減できるものである。
【００２７】
本装置は、図５に示した従来の周波数可変フィルタ装置と同様のものであるが、制御部４における動作が少々異なっている。
本装置の制御部４は、図１に示すように、オン／オフパターン生成回路４１′と、フィルタ選択回路４２と、バイアス生成回路４３とから構成されている。図１は、本装置の制御部４の構成ブロック図である。
ここで、フィルタ選択回路４２と、バイアス生成回路４３とは、従来と同じものであるので、説明を省略する。
【００２８】
オン／オフパターン生成回路４１′は、バイアス生成回路４３に対応して設けられるものである。
また、オン／オフパターン生成回路４１′は、周波数信号の入力を受けて、当該周波数信号が自己に対応する周波数可変フィルタ２が機能する周波数帯域であれば、従来と同様にしてオン／オフパターンを生成して出力するものである。
【００２９】
さらに、オン／オフパターン生成回路４１′は、周波数信号の入力を受けて、当該周波数信号が自己に対応する周波数可変フィルタ２が機能する周波数帯域でなければ、オン／オフパターンデータを消費電力の少ないものとするものである。
消費電力の少ないオン／オフパターンデータとは、具体的に図７に示したバイアス生成回路の場合には、オールオフの状態であると考えられる。
【００３０】
このような制御部４を備えた本装置によれば、制御部４に入力された周波数信号に対して機能しない周波数可変フィルタ２に対応する制御部４のバイアス生成回路４３がバイアス信号を生成しないようにすることで、当該周波数可変フィルタ２におけるＰＩＮダイオードのオン／オフの動作を停止させ、制御部４及び周波数可変フィルタ２における消費電力を低減できる効果がある。
【００３１】
また、本装置の制御部４は、図２に示すように、従来と同様のオン／オフパターン生成回路４１と、フィルタ選択回路４２と、バイアス生成回路４３とに加え、入力された周波数信号に対して機能する周波数可変フィルタ２に対応するバイアス生成回路４３にのみ電源を供給し、他のバイアス生成回路４３に電源を供給しないようにする電源制御回路４４とから構成されているものであっても構わない。図２は、本装置の制御部４のもう一つの構成ブロック図である。
【００３２】
このような本装置によれば、入力された周波数信号に対して機能しない周波数可変フィルタ２に対応する制御部４のバイアス生成回路４３に電源が供給されず、また、そのために、当該周波数可変フィルタ２におけるＰＩＮダイオードのオン／オフの動作を停止させ、制御部４と周波数可変フィルタ２とにおける消費電力を低減できる効果がある。
【００３３】
さらに、本装置の制御部４は、図３に示すように、オン／オフパターン生成回路４１と、フィルタ選択回路４２′と、周波数可変フィルタ２に対応して設けられているバイアス生成回路４３′とから構成されている。図３は、本装置の制御部４のもう一つの構成ブロック図である。
ここで、オン／オフパターン生成回路４１は、従来と同じものであるので、説明を省略する。
【００３４】
フィルタ選択回路４２′は、周波数信号の入力を受けて、従来と同様にフィルタ選択信号を出力するとともに、当該周波数信号に表される周波数で機能する周波数可変フィルタ２に対応するバイアス生成回路４３′にバイアス信号生成の指示を行う信号（指示信号）を出力するものであり、それ以外のバイアス生成回路４３′には指示信号を出力しないようになるものである。
【００３５】
バイアス生成回路４３′は、フィルタ選択回路４２′から指示信号の入力を受けているときには、従来と同様に、オン／オフパターン生成回路４１から入力されるオン／オフパターンの信号に従って、バイアス信号を生成して対応する周波数可変フィルタ２に出力するものである。
【００３６】
バイアス生成回路４３′は、また、フィルタ選択回路４２′から指示信号の入力を受けていないときには、消費電力が小さくなるような状態になるとともに、対応する周波数可変フィルタに消費電力を最小にするようなバイアス信号を出力するものである。
【００３７】
具体的には、バイアス生成回路４３′は、図４に示すようなものであることが考えられる。図４は、バイアス生成回路４３′の一例を表す回路図である。
図４に示すバイアス生成回路４３′は、従来のバイアス生成回路４３とほぼ同様のものであるが、バッファがオン／オフパターンの入力と、フィルタ選択回路４２′からの指示信号の入力とを受けるスリーステートバッファに置き換わっており、その出力にプルアップ抵抗Ｒ６が接続されているところが従来と異なっている。
【００３８】
すなわち、図４に示すバイアス生成回路４３′のスリーステートバッファは、フィルタ選択回路４２′から指示信号の入力がないと、出力がハイインピーダンス状態となる。従って、バイアス生成回路４３′は、プルアップ抵抗Ｒ６の働きによって、オールオフの状態となる。
【００３９】
また、図４に示したバイアス生成回路４３′のスリーステートバッファは、フィルタ選択回路４２′から信号が入力されていると、図７に示したバッファと同様に動作するようになる。
【００４０】
このような本装置によれば、制御部４に入力された周波数信号に対して機能しない周波数可変フィルタ２に対応する制御部４のバイアス生成回路４３がバイアス信号を生成しないようにすることで、当該周波数可変フィルタ２におけるＰＩＮダイオードのオン／オフの動作を停止させ、制御部４と周波数可変フィルタ２とにおける消費電力を低減できる効果がある。
【００４２】
【発明の効果】
本発明によれば、各周波数可変フィルタは、ＰＩＮダイオードを備え、外部から入力されるバイアス信号に従って前記ＰＩＮダイオードをオン／オフすることによって同調周波数を切り替え、制御部が外部から入力される周波数信号に表される周波数に基づいて、当該周波数で機能する周波数可変フィルタを選択するフィルタ選択信号を出力するとともに、当該周波数に対応してＰＩＮダイオードのオン／オフパターンを生成して、当該選択された周波数可変フィルタには、当該オン／オフパターンをもとにして同調周波数を前記周波数に切り替えるバイアス信号を出力し、選択されない周波数可変フィルタには、当該周波数可変フィルタの消費電力が最小になるようなバイアス信号を出力し、第１のフィルタセレクタが外部から入力される高周波信号をフィルタ選択信号で選択される周波数可変フィルタに出力し、第２のフィルタセレクタが当該第１のフィルタセレクタが選択した周波数可変フィルタから出力される高周波信号を選択して出力する周波数可変フィルタ装置としているので、周波数信号で指定された周波数で機能しない周波数可変フィルタにおける消費電力を最小にして、消費電力を低減できる効果がある。
【００４３】
本発明によれば、制御部は、バイアス生成回路の各々に対応して設けられ、外部から入力される周波数信号に表される周波数で機能する周波数可変フィルタに対応するものであるときには、当該周波数に対応するオン／オフパターンを生成し、そうでないときには、対応するバイアス生成回路及び周波数可変フィルタにおける消費電力が最小になるようなオン／オフパターンを生成して出力するオン／オフパターン生成回路と、オン／オフパターン生成回路から入力されるオン／オフパターンからバイアス信号を生成して対応する周波数可変フィルタに出力するバイアス生成回路と、周波数信号に表される周波数で機能する周波数可変フィルタを選択するフィルタ選択信号を出力するフィルタ選択回路とを有する制御部である請求項１記載の周波数可変フィルタ装置としているので、周波数信号で指定された周波数で機能しない周波数可変フィルタと、それに対応するバイアス生成回路における消費電力を最小にして、消費電力を低減できる効果がある。
【００４４】
本発明によれば、制御部は、外部から入力される周波数信号に表される周波数に対応するオン／オフパターンを生成してバイアス生成回路に出力する一のオン／オフパターン生成回路と、周波数信号に表される周波数で機能する周波数可変フィルタに対応するバイアス生成回路にのみ電源を供給し、それ以外のバイアス生成回路には電源を供給しないようにする電源制御回路と、オン／オフパターンの入力を受けてバイアス信号を生成するバイアス生成回路と、周波数信号に表される周波数で機能する周波数可変フィルタを選択するフィルタ選択信号を出力するフィルタ選択回路とを有する制御部である請求項１記載の周波数可変フィルタ装置としているので、周波数信号で指定された周波数で機能しない周波数可変フィルタに周波数の微調整のためのバイアス信号を出力しないようにすることで、当該周波数可変フィルタと、それに対応するバイアス生成回路とを動作させないようにして、消費電力を低減できる効果がある。
【００４５】
本発明によれば、制御部は、外部から入力された周波数信号に表される周波数に対応するオン／オフパターンを生成してバイアス生成回路に出力するオン／オフパターン生成回路と、フィルタ選択回路から指示信号の入力を受けているときには、入力されるオン／オフパターンに従ってバイアス信号を生成し、指示信号が入力されていないときには、周波数可変フィルタにおける消費電力が最小になるようなバイアス信号を出力するバイアス生成回路と、周波数信号に表される周波数で機能する周波数可変フィルタを選択するフィルタ選択信号を出力するとともに、当該周波数可変フィルタに対応するバイアス生成回路に指示信号を出力し、そうでないバイアス生成回路には指示信号を出力しないフィルタ選択回路とを有する制御部である請求項１記載の周波数可変フィルタ装置としているので、周波数信号で指定された周波数で機能しない周波数可変フィルタと、それに対応するバイアス生成回路における消費電力を最小にして、消費電力を低減できる効果がある。
【図面の簡単な説明】
【図１】本装置の制御部４の構成ブロック図である。
【図２】本装置の制御部４のもう一つの構成ブロック図である。
【図３】本装置の制御部４のもう一つの構成ブロック図である。
【図４】バイアス生成回路４３′の一例を表す回路図である。
【図５】従来の周波数可変フィルタ装置の構成ブロック図である。
【図６】制御部４の構成ブロック図である。
【図７】制御部４のバイアス生成回路４３の回路図である。
【符号の説明】
１…第１のフィルタセレクタ、  ２…周波数可変フィルタ、  ３…第２のフィルタセレクタ、  ４…制御部、  ４１，４１′…オン／オフパターン生成回路、４２，４２′…フィルタ選択回路、  ４３、４３′…バイアス生成回路、  ４４…電源制御回路
【図１】
0004073532.tif 000002
【図２】
0004073532.tif 000003
【図３】
0004073532.tif 000004
【図４】
0004073532.tif 000005
【図５】
0004073532.tif 000006
【図６】
0004073532.tif 000007
【図７】
0004073532.tif 000008